(57)【要約】【課題】複数重ねた場合でも容易に運ぶことができ、また、重ねて移動・収納しても再使用の際に容易に分離することのできるカラーコーンを提供する。【解決手段】台座２と、この台座２上に立設されて内部が空洞３aで錐状のコーン本体３とを備えたカラーコーン１は、台座２の上面でコーン本体３の周囲には、上方に突出する突起部２１が設けられている。そして、一方のコーン本体３の空洞３a内に他方のコーン本体３を挿入して上下に重ねた際に、上下の台座２間が下側の突起部２１によって支持されるとともに、両コーン本体３同士の間に隙間Ｓが形成される。また、コーン本体３の先端の外周面に、内側に窪むように凹部３２が形成されている。そして、この凹部３２に指を係止するとともに頂部３１を把持することによってカラーコーン１を移動する。【選択図】図１
2005220650.tif 000002
【特許請求の範囲】
【請求項１】
台座と、この台座上に立設されて内部が空洞で錐状のコーン本体とを備えたカラーコーンであって、
前記台座の上面で前記コーン本体の周囲には、上方に突出する突起部が設けられており、
一方のコーン本体の空洞内に他方のコーン本体を挿入して上下に重ねた際に、上下の台座間が下側に位置する前記突起部によって支持されるとともに、両コーン本体同士の間に隙間が形成されることを特徴とするカラーコーン。
【請求項２】
前記コーン本体の先端の外周面に内側に窪む凹部が形成され、この凹部に指が係止されるとともに、この凹部より上側のコーン本体の頂部が把持されることを特徴とする請求項１に記載のカラーコーン。
【請求項３】
前記凹部を形成する壁面には、前記コーン本体の内側から外側に向けて下向きに貫通する空気孔が形成されていることを特徴とする請求項２に記載のカラーコーン。
【請求項４】
前記突起部は、前記台座に一体成形されていることを特徴とする請求項１〜３のいずれか一項に記載のカラーコーン。
【請求項５】
台座と、この台座上に立設されて内部が空洞で錐状のコーン本体とを備えたカラーコーンであって、
前記コーン本体の先端の外周面に内側に窪む凹部が形成され、この凹部に指が係止されるとともに、この凹部より上側のコーン本体の頂部が把持され、
前記凹部を形成する壁面には、前記コーン本体の内側から外側に向けて下向きに貫通する空気孔が形成されていることを特徴とするカラーコーン。
【請求項６】
前記凹部は、前記外周面に沿って上断面視略環状に形成されていることを特徴とする請求項２〜５のいずれか一項に記載のカラーコーン。
【発明の詳細な説明】
【技術分野】
【０００１】
本発明は、台座と、この台座上に立設されて内部が空洞で錐状のコーン本体とを備えたカラーコーンに関する。
【背景技術】
【０００２】
道路上あるいは工事現場等における立入禁止区画などを表示するために多用されているカラーコーンは、内部は底面が開口した空洞となっており、収納する際には複数のカラーコーンを重ね合わせている。このように複数重ねて収納し、再度使用する場合には、カラーコーン同士が互いに食い込んで空気が抜けずに密着しているため外れにくいという問題があった。
また、カラーコーンは通常円錐状であり先端部が丸みを帯びているので、使用中に少し移動したい場合に手を掛ける部分がないため、滑り易く不便であることから、近年、持ち運び易いようにその形状の改良が試みられている。
例えば、コーン本体の先端にループ状の把持部を設け、さらにコーン本体の中間付近の周囲に滑り止めを施すことによって吊り下げて持ち運んだり、手で周囲を支えることのできるカラーコーンが開示されている（特許文献１参照）。
【特許文献１】特開平１１−８１２６０号公報
【発明の開示】
【発明が解決しようとする課題】
【０００３】
しかしながら、上記特許文献１に記載のカラーコーンは、移動する際に把持部に手を引っかけることによって容易に運ぶことができるが、収納する場合は、数個のカラーコーンを重ねて運ぶため、ループ状の把持部がコーン本体の先端に設けられているとカラーコーン同士を互いに重ねることができず、一度に複数のカラーコーンを運ぶことができなかった。また、滑り止め部分を使用して運ぶ場合には、体の全体でカラーコーンを抱きかかえるようにして支えることになるので、未だ持ち運び難いという問題があった。
【０００４】
本発明は、上記事情に鑑みてなされたもので、重ねて移動・収納しても再使用の際に容易に分離することができ、また、複数重ねた場合でも容易に運ぶことのできるカラーコーンを提供することを目的としている。
【課題を解決するための手段】
【０００５】
上記課題を解決するため、請求項１の発明は、例えば、図１(a)、(b)に示すように、台座２と、この台座上に立設されて内部が空洞３aで錐状のコーン本体３とを備えたカラーコーン１であって、
前記台座の上面で前記コーン本体の周囲には、上方に突出する突起部２１が設けられており、
一方のコーン本体の空洞内に他方のコーン本体を挿入して上下に重ねた際に、上下の台座間が下側に位置する前記突起部によって支持されるとともに、両コーン本体同士の間に隙間Ｓが形成されることを特徴とする。
【０００６】
請求項１の発明によれば、台座の上面に突起部が設けられ、一方のコーン本体の空洞内に他方のコーン本体を挿入して上下に重ねた際に、上下の台座間が下側の突起部によって支持されるとともに、両コーン本体同士の間に隙間が形成されるので、この隙間がコーン本体の外側から内側に通じる空気通路とされる。よって、従来のように、重ねて移動・収納しても再使用の際に、互いに重ねられて密着したカラーコーンを足で押さえて引き離すことなく、容易に分離することができる。
【０００７】
請求項２の発明は、例えば、図１(a)、(b)に示すように、請求項１に記載のカラーコーンにおいて、
前記コーン本体の先端の外周面に内側に窪む凹部３２が形成され、この凹部に指が係止されるとともに、この凹部より上側のコーン本体の頂部３１が把持されることを特徴とする。
【０００８】
請求項２の発明によれば、コーン本体の先端における外周面に形成された凹部に指を係止するとともに頂部を把持することによって、非力な人や女性でも容易に持ち運びできる。
【０００９】
請求項３の発明は、例えば、図１(a)、(b)に示すように、請求項２に記載のカラーコーンにおいて、
前記凹部を形成する壁面３２aには、前記コーン本体の内側から外側に向けて下向きに貫通する空気孔３３が形成されていることを特徴とする。
【００１０】
請求項３の発明によれば、凹部を形成する壁面にはコーン本体の内側から外側に向けて下向きに貫通する空気孔が形成されているので、この空気孔によって、複数重ねられて互いに密着したコーン本体の内側の空気を抜くことができる。よって、この点においても、重ねられたカラーコーンの分離作業がより一層容易となる。
しかも、空気孔はコーン本体の内側から外側に向けて下向きに形成されているため、上向きに形成されている場合に比してコーン本体内にゴミや埃等が入り難い。
【００１１】
請求項４の発明は、例えば、図１(a)、(b)に示すように、請求項１〜３のいずれか一項に記載のカラーコーンにおいて、
前記突起部は、前記台座に一体成形されていることを特徴とする。
【００１２】
請求項４の発明によれば、突起部は台座に一体成形されているので、一度に台座と突起部とを成形することができ、施工を簡略化することができる。
【００１３】
請求項５の発明は、台座と、この台座上に立設されて内部が空洞で錐状のコーン本体とを備えたカラーコーンであって、
前記コーン本体の先端の外周面に内側に窪む凹部が形成され、この凹部に指が係止されるとともに、この凹部より上側のコーン本体の頂部が把持され、
前記凹部を形成する壁面には、前記コーン本体の内側から外側に向けて下向きに貫通する空気孔が形成されていることを特徴とする。
【００１４】
請求項５の発明によれば、コーン本体の先端における外周面に形成された凹部に指を係止するとともに頂部を把持することによって、非力な人や女性でも容易に持ち運びできる。
また、凹部を形成する壁面にはコーン本体の内側から外側に向けて下向きに貫通する空気孔が形成されているので、この空気孔によって、複数重ねられて互いに密着したコーン本体の内側の空気を抜くことができる。よって、重ねられたカラーコーンの分離作業が容易となる。
しかも、空気孔はコーン本体の内側から外側に向けて下向きに形成されているため、上向きに形成されている場合に比してコーン本体内にゴミや埃等が入り難い。
【００１５】
請求項６の発明は、例えば、図１(a)、(b)に示すように、請求項２〜５のいずれか一項に記載のカラーコーンにおいて、
前記凹部は、前記外周面に沿って上断面視略環状に形成されていることを特徴とする。
【００１６】
請求項６の発明によれば、凹部は外周面に沿って上断面視略環状に形成されているので、コーン本体の外周面において様々な方向から凹部に指を係止することができ、より一層持ち運び易くなる。
【発明の効果】
【００１７】
本発明に係るカラーコーンによれば、上下に重ねた際に、上下の台座間が下側の突起部によって支持されるとともに、両コーン本体同士の間に隙間が形成されて、この隙間が空気通路とされるので、重ねて移動・収納しても再使用の際に、容易に分離することができる。
また、コーン本体の先端における外周面に形成された凹部に指を係止するとともに頂部を把持することによって、複数重ねた場合でも容易に持ち運びできる。
【発明を実施するための最良の形態】
【００１８】
以下、本発明の実施の形態について図１(a)、(b)を参照して説明する。
図１(a)は、本発明のカラーコーンが重ねられた状態の正断面図、図１(b)は、カラーコーンの要部における正断面図である。
図１(a)、(b)に示すように、本発明に係るカラーコーン１は、台座２と、この台座２上に立設されて内部が空洞３aで略円錐状のコーン本体３とを備えている。
台座２は、略四角形の板状をなしており、その略中央部にはコーン本体３の空洞３aに連通する開口部（図示しない）が形成されている。すなわち、他のカラーコーン１Ａ（後述する）のコーン本体３が台座２の開口部から挿入可能となっており、これによって複数のカラーコーン１、１Ａが重ね合わされるようになっている。
また、台座２の上面四隅には上方に突出する４つの突起部２１（図１(a)では２つのみ図示）が互いに等間隔に設けられている。これら突起部２１は円柱状をなしている。
【００１９】
また、コーン本体３は、その先端のうち頂部３１を除いた外周面に、上断面視略円環状となるように内側に窪む凹部３２が形成されている。
また、凹部３２を形成する壁面３２aには、コーン本体３の内側から外側に向けて下向きに空気孔３３が形成されている。すなわち、空気孔３３は、壁面３２aのうち頂部３１側（上側）の壁面に、コーン本体３の空洞３aに連通する空気孔３３が形成されている。
【００２０】
さらに、カラーコーン１は、台座２、コーン本体３、突起部２１が樹脂製であり、台座２と突起部２１とが一体に成形されている。すなわち、例えば、台座２と突起部２１とは、ポリエチレン、ポリプロピレン、ＦＲＰ等の樹脂を加熱し混練・溶融した材料を押出成形等を行うことによって所望形状に成形される。また、コーン本体３も同様に樹脂を成形することによって所望形状に成形される。
【００２１】
一方、図１(a)に示すカラーコーン１Ａは、カラーコーン１と異なりコーン本体３に凹部３２及び空気孔３３が形成されていないものであり、その他は同様の構成であるのでその説明は省略する。
【００２２】
そして、このように構成された本発明に係るカラーコーン１、１Ａは、図１(a)に示すように下段に複数のカラーコーン１Ａが重ねられて、最上段にカラーコーン１を重ねて収納する。このように重ねることで、上下に重ねられたカラーコーン１、１Ａは、上下の台座２間が、下側に位置するカラーコーン１Ａの突起部２１により支持されるとともに、コーン本体３同士の間（つまり、下段のコーン本体３の外周面と上段のコーン本体３の内周面との間）に隙間Ｓが生じる。よって、この隙間Ｓが、コーン本体３の外側から内側に通じる空気通路となる。
さらには、最上段のカラーコーン１の空気孔３３によっても、コーン本体３の空洞３a内の空気が外側へ抜けるようになっている。したがって、各カラーコーン１、１Ａは密着されずに容易に分離される。
また、カラーコーン１を移動する場合には、コーン本体３に形成された凹部３２に片手の指を係止させるとともに頂部３１を把持することによって移動させる。
【００２３】
なお、図１(a)では、複数のカラーコーン１Ａが重ねられ、最上段にカラーコーン１が重ねられているが、カラーコーン１のみを複数重ねても構わない（図示しない）。また、カラーコーン１Ａには空気孔３３が形成されていないが、上述したように突起部２１によって空気を抜くことができるため、カラーコーン１Ａのみを複数重ねても構わない（図示しない）。
【００２４】
以上、本発明の実施の形態のカラーコーン１によれば、台座２と、この台座２上に立設されて内部が空洞３aで略円錐状のコーン本体３とを備え、台座２の上面四隅には、上方に突出する複数の突起部２１が設けられ、コーン本体３の先端の外周面に、内側に窪むように凹部３２が設けられているので、上下に重ねられたカラーコーン１、１Ａは、下側の突起部２１で上下の台座２間が支持されるとともに、コーン本体３同士が互いに密着することなく隙間Ｓが生じる。よって、この隙間Ｓがコーン本体３の外側から内側に通じる空気通路となり、重ねて移動・収納しても再使用の際に容易に分離することができる。
また、凹部３２に指を係止するとともに頂部３１を把持することによって、片手で持っても滑り落ちることなく容易に持ち運びできる。
さらに、凹部３２を形成する壁面３２aには頂部３１側に向けてコーン本体３の空洞３aに連通する空気孔３３が形成されているので、複数重ねられて互いに密着したコーン本体３の内側の空気を抜くことができ、この点においてもカラーコーン１同士を容易に分離することが可能となる。
しかも、空気孔３３は、コーン本体３の内側から外側に向けて下向きに形成されているため、コーン本体３内にゴミや埃等が入り難い。
また、凹部３２は外周面の円周上に沿って上断面視略円環状に形成されているので、様々な方向から指を係止することができ、より一層持ち運び易くなる。
さらに、突起部２１は台座２に一体成形されているので、施工の簡略化を図ることができる。
【００２５】
なお、本発明は上記実施の形態に限定されるものではなく、その要旨を逸脱しない範囲で適宜変更可能なものとする。
例えば、上述のカラーコーン１には突起部２１、凹部３２及び空気孔３３が形成され、カラーコーン１Ａには突起部２１が形成されていたが、本発明のその他の例として、同様に台座２とコーン本体３とを備え、コーン本体３の先端外周面に凹部３２及び空気孔３３が形成されたものであっても良い（図示しない）。すなわち、凹部３２に形成された空気孔３３によって、カラーコーン同士の分離を容易にすることができる。
【００２６】
また、上記実施の形態においてコーン本体３の先端外周面に設けられた凹部３２は、上断面視略円環状となるように形成されていたが、これに限らず、外周面の少なくとも二箇所をそれぞれ切り欠くように凹部（図示しない）を設けても構わない。特に、片手で持ち易いように外周面のうち互いに対向する箇所に凹部を設けることが好ましい。
【００２７】
また、コーン本体３の形状は円錐状に限らず、例えば三角錐状や四角錐状等の形状でも良い。
さらに、コーン本体３、台座２、突起部２１の材質は、上述の樹脂に限らず、その他公知の合成樹脂、金属等を使用することができる。
【図面の簡単な説明】
【００２８】
【図１】本発明の実施の形態を示すためのものであって、(a)は、複数のカラーコーンを重ね合わせた状態の正断面図、(b)は、カラーコーンの要部における正断面図である。
【符号の説明】
【００２９】
１  カラーコーン
２  台座
３  コーン本体
３a  空洞
２１  突起部
３１  頂部
３２  凹部
３２a  壁面
３３  空気孔
Ｓ  隙間
【図１】
2005220650.tif 000003